(57)【要約】  構造が単純で加圧の容易なガスミスト圧浴用カバーを提供する。所定値以上の濃度の炭酸ガス、酸素又は炭酸ガスと酸素の混合ガス（以下、「ガス」という）と液体を粉砕溶解させたミスト（以下、「ガスミスト」という）を生体の皮膚及び粘膜に接触させるためのガスミスト圧浴用カバー１であって、前記生体の皮膚及び粘膜を被覆する生体カバー部材１１と、その生体カバー部材１１内にガスミストを導入するための、内部に逆流防止弁を有するガスミスト供給口１２と、前記生体カバー部材１１内の空気、ガス、及びガスミストの圧力を調整する排出部１３と、前記生体カバー部材１１の開口部において、その生体カバー部材の外周に巻き付けて縮径させることにより、前記生体カバー部材を締め付けて加圧する加圧手段２１と、を備える。
2010104063.tif 000002
【特許請求の範囲】
【請求項１】
所定値以上の濃度の炭酸ガス、酸素又は炭酸ガスと酸素の混合ガス（以下、「ガス」という）と液体を粉砕溶解させたミスト（以下、「ガスミスト」という）を生体の皮膚及び粘膜に接触させるためのガスミスト圧浴用カバーであって、
前記生体の皮膚及び粘膜を被覆する生体カバー部材と、
該生体カバー部材内に前記ガスミストを導入するための、内部に逆流防止弁を有するガスミスト供給口と、
前記生体カバー部材内の空気、ガス、及びガスミストの圧力を調整する排出部と、
前記生体カバー部材の開口部において、該生体カバー部材の外周に巻き付けて縮径させることにより、前記生体カバー部材を締め付けて加圧する加圧手段と、
を備えることを特徴とするガスミスト圧浴用カバー。
【請求項２】
前記生体カバー部材の開口部に、前記加圧手段の脱落を防止するストッパー部材を備えることを特徴とする請求項１に記載のガスミスト圧浴用カバー。
【請求項３】
前記生体カバー部材の形状が、袋状、円筒状、パンツ状であることを特徴とする請求項１に記載のガスミスト圧浴用カバー。
【請求項４】
前記生体カバー部材の少なくとも一部が、ジャバラ状に形成されて折り畳みが可能であることを特徴とする請求項１に記載のガスミスト圧浴用カバー。
【請求項５】
前記ジャバラ状に形成された前記生体カバー部材が、該ジャバラの一箇所において分断されており、前記生体カバー部材の開閉が可能であることを特徴とする請求項４に記載のガスミスト圧浴用カバー。
【請求項６】
前記液体は、水、イオン水、オゾン水、生理食塩水、精製水、又は滅菌精製水の何れか一つ又は複数の組み合わせであることを特徴とする請求項１に記載のガスミスト圧浴用カバー。
【請求項７】
前記液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有することを特徴とする請求項６に記載のガスミスト圧浴用カバー。
【請求項８】
前記生体カバー部材内に導入される前記ガスミスト粒径は、１０μｍ以下であることを特徴とする請求項１に記載のガスミスト圧浴用カバー。
【発明の詳細な説明】
【技術分野】
【０００１】
本発明は、炭酸ガス、酸素若しくは炭酸ガスと酸素の混合ガスを生体の皮膚及び粘膜に直接接触させるガスミスト圧浴に用いるガスミスト圧浴用カバーに関する。
【背景技術】
【０００２】
従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも注目を集めている。【０００３】
生体の組織中で二酸化炭素は、赤血球内のヘモグロビンに結合して運ばれた酸素を放出させる働きがある。二酸化炭素濃度の高いところでは、赤血球はより多くの酸素を放出する。このように、赤血球による細胞への酸素の供給は、主に二酸化炭素がコントロールしている。つまり、二酸化炭素なしでは、ヘモグロビンは酸素が結合したままの状態となり、細胞は酸素を受け取ることができなくなってしまう。このように、二酸化炭素は、細胞の活動の結果出てくる老廃物のように思われがちだが、実は体の中で非常に重要な役割を果たしている。【０００４】
また、近年では、高濃度酸素も、新陳代謝の活性、疲労回復、血圧の安定等に効果があることが広く知られている。【０００５】
そこで、炭酸ガスや酸素、又はこれらの混合ガスを生体の皮膚や粘膜から直接吸収させるため、本発明者は、生体の皮膚及び粘膜を覆うガスミスト圧浴用カバーに上記のガスを封入し、所定圧力でガスを生体の皮膚や粘膜に接触させる、ガスミスト圧浴装置及びガスミスト圧浴システムをこれまでに提案している。
【先行技術文献】
【特許文献】
【０００６】
【特許文献１】特開２００７−２６０２９３号公報
【発明の概要】
【発明が解決しようとする課題】
【０００７】
しかしながら、上記のガスミスト圧浴に用いる従来のガスミスト圧浴用カバーでは、カバー内の加圧を迅速かつ効率的に行うことは難しかった。【０００８】
そこで本発明は、上記状況に鑑みて、構造が単純で加圧の容易なガスミスト圧浴用カバーを提供することを目的とする。
【課題を解決するための手段】
【０００９】
本発明は、上記課題を解決するために、所定値以上の濃度の炭酸ガス、酸素又は炭酸ガスと酸素の混合ガス（以下、「ガス」という）と液体を粉砕溶解させたミスト（以下、「ガスミスト」という）を生体の皮膚及び粘膜に接触させるためのガスミスト圧浴用カバーであって、前記生体の皮膚及び粘膜を被覆する生体カバー部材と、その生体カバー部材内に前記ガスミストを導入するための、内部に逆流防止弁を有するガスミスト供給口と、前記生体カバー部材内の空気、ガス、及びガスミストの圧力を調整する排出部と、前記生体カバー部材の開口部において、その生体カバー部材の外周に巻き付けて縮径させることにより、前記生体カバー部材を締め付けて加圧する加圧手段と、を備えることを特徴とするガスミスト圧浴用カバーを提供する。【００１０】
なお、本願においては、液体を粉砕し微細な液滴にしてガス（炭酸ガス、酸素、又は炭酸ガスと酸素の混合ガス）と接触混合させることを、粉砕溶解という。【００１１】
ここで、前記生体カバー部材の開口部には、前記加圧手段の脱落を防止するためのストッパー部材を備えるのが好適である。【００１２】
また、前記生体カバー部材の形状は、袋状、円筒状、パンツ状であるのが好適である。【００１３】
さらに、前記生体カバー部材の少なくとも一部は、ジャバラ状に形成されて折り畳み可能であるのが好適である。そして、このジャバラ状に形成された前記生体カバー部材は、そのジャバラの一箇所において分断されており、前記生体カバー部材の開閉が可能であるのが良い。【００１４】
ここで、前記液体は、水、イオン水、オゾン水、生理食塩水、精製水、又は滅菌精製水の何れか一つ又は複数の組み合わせであることを特徴とする。【００１５】
また、前記液体は、本発明のガスミスト圧浴カバーの使用目的に応じて、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウム、高濃度炭酸泉剤、抗アレルギー剤、抗炎症剤、解熱鎮痛剤、抗真菌剤、抗インフルエンザウィルス剤、インフルエンザワクチン、ステロイド剤、抗ガン剤、血圧降下剤、化粧剤、増毛剤、発毛剤、又は育毛剤のうち、何れか一つ又は複数をさらに含有するようにしても良い。【００１６】
そして、前記生体カバー部材内に導入される前記ガスミスト粒径は、１０μｍ以下であることが望ましい。
【発明の効果】
【００１７】
本発明のガスミスト圧浴用カバーによれば、カバー内部の圧力調整を簡便に行い、効率的にガスミスト圧浴を行うことが可能となる。
【図面の簡単な説明】
【００１８】
【図１】本発明の第一の実施形態に係るガスミスト圧浴用カバーの概略を示す模式図である。
【図２】本発明の第一の実施形態に係るガスミスト圧浴用カバーにおける生体カバー部材の全体概略図である。
【図３】本発明の第一の実施形態に係るガスミスト圧浴用カバーにおける締付具の全体概略図である。
【図４】本発明の第二の実施形態に係るガスミスト圧浴用カバーの概略を示す模式図である。
【図５】本発明の第二の実施形態に係るガスミスト圧浴用カバーにおける締付具の概略を示す模式図である。
【図６】本発明の実施形態に係るガスミスト圧浴用カバーにおける、様々な形状を有する生体カバー部材の模式図である。
【図７】本発明の実施形態に係るガスミスト圧浴用カバーにおける、折り畳み式の生体カバー部材の概略を示す模式図（その１）である。
【図８】本発明の実施形態に係るガスミスト圧浴用カバーにおける、折り畳み式の生体カバー部材の概略を示す模式図（その２）である。
【発明を実施するための形態】
【００１９】
以下、本発明の実施の形態について、図面を参照しながら詳細に説明する。
【００２０】
〔第一の実施形態〕
まず、本発明のガスミスト圧浴用カバーを適用するガスミスト圧浴及びガスミスト圧浴装置の概略とともに、本実施形態のガスミスト圧浴用カバーについて説明する。図１は、本発明の第一の実施形態に係るガスミスト圧浴用カバーの概略を示す模式図である。まず、ガスミスト圧浴装置は、炭酸ガス、酸素、又は炭酸ガスと酸素の混合ガス（以下、単にガスという）を供給するガス供給手段１１１と、液体を供給する液体供給手段１１２と、液体供給手段１１２からの液体を微細な液滴にしてガス供給手段１１１からのガスと粉砕溶解させたミスト（以下、ガスミストという）を生成、供給するガスミスト供給手段１１３と、供給されたガスミストを内部に封入する空間を形成するガスミスト圧浴用カバー１と、を備える。また、制御装置を設けて、ガスや液体、ガスミストの供給制御等を行うようにしても良い。
【００２１】
ガス供給手段１１１は、ガスミスト供給手段１１３に炭酸ガス、酸素、又は炭酸ガスと酸素の混合ガスを供給する。例えばガスボンベを用いるのが最適である。なお、図示は省略するがガス供給手段１１１にはガスの圧力調整のためのレギュレータが設けられるのが良い。
【００２２】
液体供給手段１１２は、ポンプ等から構成され、ガスミスト供給手段１１３に液体を供給する。この液体としては、水、イオン水、オゾン水、生理食塩水、精製水、又は滅菌精製水の何れか一つ又は複数の組み合わせである。若しくは、使用者の疾患、症状等に有効な薬液を用いても良い。
【００２３】
さらに、液体には、メンソール等の清涼作用を生じさせる薬剤や、血行をより促進させるビタミンＥ、皮膚組織に吸収されやすく美肌効果の高いビタミンＣ誘導体、皮膚の角化作用を正常にし粘膜を保護するレチノール、皮膚及び粘膜への刺激を和らげるための麻酔薬、ガスの臭気を除去するためのシクロデキストリン、皮膚及び粘膜表面に付着している細菌等を殺菌するための薬剤（例えば、光触媒又は光触媒とアパタイトの複合体）、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。さらに、炭酸塩と有機酸を主成分とする高濃度炭酸泉剤（有効成分の一例としては、硫酸塩、炭酸塩、有機酸、ジクロロイソシアヌル酸ナトリウム）、炭酸水素ナトリウム等を添加しても良い。この液体供給手段１１２には、液体を加温する（例えば水を４０℃程度の湯にする）ためのヒータ（図示せず）や、温度制御のための温度計（図示せず）を配置するのが望ましい。
【００２４】
ガスミスト供給手段１１３は、ガス供給手段１１１から供給されたガスと、液体供給手段１１２から供給された液体から、液体を微細な液滴にしてガスと粉砕溶解させたガスミストを生成し、これをガスミスト圧浴用カバー１へ供給する装置である。この際、生成するミストの粒径は１０μｍ以下であるのが最適である。ガスミスト供給手段１１３としては、例えば、超音波式ミスト生成装置や、ジェット式ミスト生成装置、流体ノズルを用いたミスト生成装置等、様々な方式のミスト生成装置を利用することができる。
【００２５】
ガスミスト圧浴用カバー１は、生体の皮膚及び粘膜を覆い、ガスミスト及びガスを内部に封入する空間を形成できるカバーである。図１に示すように、本実施形態に係るガスミスト圧浴用カバー１は、生体の皮膚及び粘膜を覆う形状（ここでは袋状）を有する生体カバー部材１１と、この生体カバー部材１１の外側に取り付け、生体カバー部材１１を外周から適度に締め付けることにより生体カバー部材１１を加圧する、加圧手段としての締付具２１とから構成される。図２はその生体カバー部材１１の概略を示す図、図３は締付具２１の概略を示す図である。
【００２６】
生体カバー部材１１には、図２に示すように、この生体カバー部材１１の内部にガス及びガスミストを導入するためのガスミスト供給口１２と、生体カバー部材１１の内部の空気やガス、ガスミストの圧力の量を調整するための排出部１３と、生体カバー部材１１の開口部に設けられ、締付具２１が生体カバー部材１１からずれたり外れたりすることを防ぐためのストッパー１４と、生体カバー部材１１の開口部内側に設けられ、締付具２１の締め付けによる不快感を和らげるためのクッション部材１６と、が設けられている。
【００２７】
生体カバー部材１１は、ここでは対象とする生体の部位（例として、人体の下肢）を被覆できる程度の大きさの袋体から構成されている。また、加圧に耐えられる耐圧性があり且つ一定以上の強度を有する可撓性の非通気性素材（好適にはポリ塩化ビニル等の樹脂）から構成される。さらに、生体カバー部材１１は、透明又は半透明のものを用いるのが好適だが、ガスミストを充填すると曇りにより生体カバー部材１１内部の視認性が悪化するため、その内側には曇り止めコーティングが施されているのが良い。
【００２８】
ガスミスト供給口１２は、生体カバー部材１１内部に通じる、ガス及びガスミストの導入部である。このガスミスト供給口１２にガスミスト供給手段１１３やガス供給手段１１１を接続して、生体カバー部材１１内にガス及びガスミストを供給する。ガス及びガスミストの逆流を防止するため、このガスミスト供給口１２内部には逆流防止弁を配置するのが良い。
【００２９】
排出部１３は、生体カバー部材１１内の空気を抜く際や、生体カバー部材１１内のガス及びガスミストを抜いて圧力を調整する際に、空気やガス、及びガスミストを排出するための通気孔である。排出部１３は、通常時は弁やキャップ等で通気を防止しており、上記排出を行う際にのみ開弁させたりキャップを外したりすることにより通気が可能となる構造を有している。また、所定圧以上になると開き、ガス及びガスミストを排出する構造であっても良い。
【００３０】
ストッパー１４は、締付具２１が生体カバー部材１１の開口付近に設置される際に、開口からのずれや外れを防止するため、生体カバー部材１１の開口に沿って設けられる厚みのあるリング状の部材である。着脱が容易であるとともに、生体に装着した際に余計な隙間を作らないため、ゴム等の弾性体から構成されるのが好適である。
【００３１】
クッション部材１６は、締付具２１による締め付け感の緩和のために、例えばウレタンフォーム等の柔軟性と弾性を有する素材から構成される。また、例えば、クッション部材１６の内側に、生体カバー部材１１内の密閉性を高めるため、生体の皮膚及び粘膜に粘着する素材をさらに設けるようにしても良い。この粘着素材には、例えばポリウレタンやシリコンゴム等からなる粘弾性ゲルを用いる。この粘着素材は、取り外しが可能で使用の都度、あるいは粘性が弱くなれば交換できる構成とするのが好ましい。
【００３２】
次に、締付具２１は、図３に示すように、本実施形態ではラックピニオン式の締付機構を有する締付具２１を用いている。例として、特開２００７−２６０２９３号公報（特許文献１）に記載される締付機構及び保持機構を用いる。
【００３３】
この締付具２１は、クッションベルト２０１、締付用ベルト２０２、締付機構２１１、保持機構２２１を備えている。
【００３４】
クッションベルト２０１は、締付用ベルト２０２が接触することにより生体カバー部材１１を損傷することがないように設けられるベルトで、長尺状の部材を端部が重なるように円筒状にしたものである。クッションベルト２０１が形成する円筒は、締付機構２１１、保持機構２２１の動きに伴って径が可変である。
【００３５】
締付用ベルト２０２は、樹脂製の長尺部材であり、ラック２０３が形成された長穴状の開口部２０４と、その開口部２０４に沿って上下に所定ピッチで設けられる保持用孔２０５と、開口部２０４が形成されていない部分に設けられる貫通孔２０６とを有している。
【００３６】
締付機構２１１は、クッションベルト２０１に固定される基台（図示せず）と、基台に回転自在に設けられた回転軸（図示せず）が嵌入することにより回転自在な撮み２１２と、撮み２１２の裏面に形成され、締付用ベルト２０２のラック２０３と係合可能なピニオンギア（図示せず）を備えている。締付用ベルト２０２はその一端が基台に連結されるとともに、その他端は基台に形成された溝に挿入されている。さらに、締付用ベルト２０２の開口部２０４に撮み２１２の裏側に形成されたピニオンギアが挿入された状態で、撮み２１２は基台の回転軸と嵌合する。これにより、撮み２１２を回転させることによりピニオンギアも回転し、ラック２０３が送られることにより、締付用ベルト２０２及びクッションベルト２０１が縮径する。
【００３７】
保持機構２２１は、締付用ベルト２０２の保持用孔２０５に係入する保持用ピン（図示せず）と、保持用ピンを保持用孔２０５への係入方向へ付勢するばね（図示せず）と、保持用ピンを保持用孔２０５から強制的に外すための開放レバー２２２と、を備える。
【００３８】
保持用ピンは、図示しない軸中心に回動自在に設けられており、保持用孔２０５に対して係入、離脱が可能である。保持用ピンが保持用孔２０５に係入することにより、締付用ベルト２０２の移動を抑え、その位置を保持する。通常は、保持用ピンはばねによって保持用孔２０５への係入方向に付勢されているが、撮み２１２を回転させて締付用ベルト２０２を締付方向に送ると、保持用ピンは締付用ベルト２０２の移動に負けて保持用孔２０５から離脱するとともに、次の保持用孔２０５に係入し、締付用ベルト２０２を保持する。この動作を繰り返すことにより、締付用ベルト２０２は縮径して締め付けを可能とする。
【００３９】
開放レバー２２２を操作すると、保持用ピンは強制的に保持用孔２０５からの離脱方向へ回動する。これにより、保持用孔２０５から保持用ピンが離脱して、締付用ベルト２０２は拡径して、締め付け状態から開放される。
【００４０】
なお、上記の締付具２１における締付用ベルト２０２、締付機構２１１、保持機構２２１の構造は、特許文献１の記載に沿ったものであるため、ここでは簡単な説明に留める（詳細は特許文献１を参照のこと）。
【００４１】
そこで、上記のような構造の締付具２１を用いたガスミスト圧浴の態様について説明する。まず、生体カバー部材１１をガスミスト圧浴を行いたい生体の部位（ここでは人体の下肢）に装着する。このとき、開口部や排出部から内部の空気をできるだけ排出しておく。次いでガス供給手段１１１からガスを、液体供給手段１１２から液体を、ガスミスト供給手段１１３へ供給し、ガスミストを生成する。生体カバー部材１１の開口部を手などで押さえつつ、ガスミスト供給手段１１３からのガスミストは、ガスミスト供給口１２を介して生体カバー部材１１に供給される。生体カバー部材１１内に十分にミストが供給された場合は、ガス供給手段１１１から直接ガスのみが生体カバー部材１１内に供給される。このとき、生体カバー部材１１内にガスが約９５−９７％、液体が約３−５％の割合で存在するようにする。次いで装着した生体カバー部材１１の上に締付具２１を、図１に示すように開口近傍に配置し、撮み２１２を回して徐々に締付用ベルト２０２及びクッションベルト２０１を縮径させて締め付ける。こうすることにより、生体カバー部材１１内の容積が狭まり、適度な加圧状態とすることができる。なお、圧力が高すぎた場合の微調整や、内部のガス及びガスミストの入替を行いたい場合は、排出部１３から排気することができる。以上のようにして、最適なガスミスト圧浴を行う。
【００４２】
〔第二の実施形態〕
図４は、本発明の第二の実施形態に係るガスミスト圧浴用カバーの概略を示す模式図である。本実施形態では、面ファスナーを用いた締付具を適用する例について示す。なお、図１に示す第一の実施形態と同一の部分については、同一の符号を付して詳細な説明は省略する。
【００４３】
図４に示すように、本実施形態のガスミスト圧浴用カバー２は、生体の皮膚及び粘膜を覆う形状（ここでは袋状）を有する生体カバー部材１１と、この生体カバー部材１１を外周から適度に締め付けることにより生体カバー部材１１を加圧する、加圧手段としての締付具３１とから構成される。図５は、その締付具３１の概略を示す図である。
【００４４】
本実施形態に係る締付具３１は、図５に示すように、締付用バンド３２と、この締付用バンド３２の一端に設けられる折返し用リング３３とから構成される。
【００４５】
締付用バンド３２は、柔軟で弾性を有する長尺な部材からなり、その一端には折返し用リング３３が設けてある。折返し用リング３３を設けるには、例えば、締付用バンド３２の一端に折返し用リング３３を通し、折返し用リング３３を挟むように締付用バンド３２の端部を折って輪状に縫い合わせれば良い。
【００４６】
締付用バンド３２の表面は、起毛したループ状の繊維からなる面ファスナーのループ部３４が形成されている。また、締付用バンド３２の折返し用リング３３が設けられていない側の端部には、起毛したフック状の繊維からなる面ファスナーのフック部３５が設けられている。
【００４７】
締め付けを行う際には、装着した生体カバー部材１１の上に締付具３１を、図４に示すように開口近傍に配置し、図５（ｂ）に示すように、フック部３５が設けられている端部を折返し用リング３３に奥側から手前側へと通して環状にする。この折返し用リング３３に通した端部を引っ張ると、締付用バンド３２は縮径するため、適度に生体カバー部材１１を締め付ける。そして、図５（ｃ）に示すように、締付用バンド３２を折返し用リング３３から折り返して、フック部３５をループ部３４で任意の位置に固定する。こうすることにより、生体カバー部材１１内の容積が狭まり、適度な加圧状態とすることができる。
【００４８】
なお、上記第一及び第二の実施形態では、袋状の生体カバー部材１１を人体の下肢（特に膝下部）に装着する例を示したが、袋の形状を変えることで、人体の前腕や手部、足部、頭部等にも適用可能であることは言うまでもない。以下、上記実施形態とは形状の異なる生体カバー部材について説明する。図６は、様々な形状を有する生体カバー部材の模式図である。
【００４９】
図６（ａ）には、筒型の生体カバー部材１１Ａを示している。この生体カバー部材１１Ａは、主に、手や足等の生体の細長い部位に装着するのが向いている。生体カバー部材１１Ａには、ガスミスト供給口１２Ａと、排出部１３Ａとが設けられている。また、その両端部の開口には、ストッパー１４Ａ、１５Ａが設けられている。ガスミスト圧浴を行う際には、両端部に締付具を配置するのが好適だが、片方のみに締付具を配置し、他方は紐やゴム、面ファスナー等で開口部を閉じるだけの構成としても良い。
【００５０】
図６（ｂ）には、大径の筒型の生体カバー部材１１Ｂを示している。この生体カバー部材１１Ｂは、主に、胸部から腹部にかけてや、頚部のガスミスト圧浴を行いたい場合に向いている。生体カバー部材１１Ｂには、ガスミスト供給口１２Ｂと、排出部１３Ｂとが設けられている。また、その両端部の開口には、ストッパー１４Ｂ、１５Ｂが設けられている。ガスミスト圧浴を行う際には、両端部に締付具を配置するのが好適だが、片方のみに締付具を配置し、他方は紐やゴム、面ファスナー等で開口部を閉じるだけの構成としても良い。
【００５１】
図６（ｃ）には、パンツ型の生体カバー部材１１Ｃを示している。この生体カバー部材１１Ｃは、主に、人体の下腹部から鼠蹊部、臀部、大腿部にかけてガスミスト圧浴を行いたい場合に向いている。生体カバー部材１１Ｃには、ガスミスト供給口１２Ｃと、排出部１３Ｃとが設けられている。また、その上部（下腹部側）の開口にはストッパー１４Ｃ、下部（大腿部側）の二つの開口にはストッパー１５Ｃが設けられている。ガスミスト圧浴を行う際には、開口部近傍に締付具を配置するのが好適だが、上部か下部の一方のみに締付具を配置し、他方は紐やゴム、面ファスナー等で開口部を閉じるだけの構成としても良い。
【００５２】
次に、折り畳み式の生体カバー部材について説明する。図７及び図８は、折り畳み式の生体カバー部材の概略を示す模式図である。図７に示すように、生体カバー部材１１Ｄ（ここでは筒状）には、中央にジャバラ部１７が設けられている。また、ガスミスト供給口１２Ｄ、排出部１３Ｄ、さらにその両端部の開口には、ストッパー１４Ｄ、１５Ｄが設けられている。このように、一部にジャバラ部１７を設けることにより、生体カバー部材１１Ｄは不使用時には小さく折り畳むことが可能となる。また、図８（ａ）のように、生体カバー部材１１Ｄをジャバラ部１７の一箇所で分断しても良い。分断するのは、生体カバー部材１１Ｄの略中央部であるのが好ましい。分断部１７Ａ、１７Ｂは、例えば嵌め込み式により結合と分離が自在にできるため、図８（ｂ）に示すようにアコーディオンカーテン状に開閉が可能である。このように、生体カバー部材１１Ｄがジャバラ部１７で開閉可能であることにより、例えば、ガスミスト圧浴と鍼治療を同時に行う（生体カバー部材１１Ｄを生体に装着した後に分断部１７Ａ、１７Ｂを開き、生体カバー部材１１Ｄを装着した部位に鍼を打ち、次いで分断部１７Ａ、１７Ｂを閉じてからガスミスト圧浴を行う）等、他の療法の施術を併用することが可能となる。
【００５３】
なお、上記実施形態では、ガスミスト圧浴用カバーを人体に適用する例を示したが、本発明のガスミスト圧浴用カバーは、人体に限らず動物等に用いても良い。
【００５４】
上記のように構成したため、本発明のガスミスト圧浴用カバーによれば、カバー内部の圧力調整を簡便に行い、効率的にガスミスト圧浴を行うことが可能となる。
【００５５】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００５６】
本発明は、炭酸ガス、酸素、又は炭酸ガスと酸素の混合ガスを生体の皮膚及び粘膜に直接接触させるガスミスト圧浴に用いるガスミスト圧浴用カバーに関し、産業上の利用可能性を有する。
【符号の説明】
【００５７】
１、２    ガスミスト圧浴用カバー
１１、１１Ａ、１１Ｂ、１１Ｃ、１１Ｄ    生体カバー部材
１２、１２Ａ、１２Ｂ、１２Ｃ、１２Ｄ    ガスミスト供給口
１３、１３Ａ、１３Ｂ、１３Ｃ、１３Ｄ    排出部
１４、１４Ａ、１５Ａ、１４Ｂ、１５Ｂ、１４Ｃ、１５Ｃ、１４Ｄ、１５Ｄ    ストッパー
１６    クッション部材
１７    ジャバラ部
１７Ａ、１７Ｂ    分断部
２１、３１    締付具
３２    締付用バンド
３３    折返し用リング
３４    ループ部
３５    フック部
１１１  ガス供給手段
１１２  液体供給手段
１１３  ガスミスト供給手段
２０１  クッションベルト
２０２  締付用ベルト
２０３  ラック
２０４  開口部
２０５  保持用孔
２０６  貫通孔
２１１  締付機構
２１２  撮み
２２１  保持機構
２２２  開放レバー
【図１】
2010104063.tif 000003
【図２】
2010104063.tif 000004
【図３】
2010104063.tif 000005
【図４】
2010104063.tif 000006
【図５】
2010104063.tif 000007
【図６】
2010104063.tif 000008
【図７】
2010104063.tif 000009
【図８】
2010104063.tif 000010
【国際調査報告】
2010104063.tif 000011
2010104063.tif 000012
2010104063.tif 000013
2010104063.tif 000014